(57)【要約】      （修正有）【課題】杭の中心部に地球位置システムを装着することにより、杭の所在位置と水準点を特定し確認できる地球位置システム装着杭（以下、ＧＰＳ装着杭）を提供する。【解決手段】日本国の領土である陸地に設置されている三角点を構成している基準点杭と公共杭観測杭等にＧＰＳ１を装着することにより、常時日本列島の歪み地盤のづれや隆起沈下を観測できる。特に、巨大地震の余波による、プレート群を監視する、監視地域や周期的に発生が予測されている特定地域と原子力発電施設周辺に施設することにより、常時観測ができるので精度が良くなり、早期に予測ができ対策ができる、地球位置システム装着杭である。【選択図】図１
0003179245.tif 000002
【実用新案登録請求の範囲】
【請求項１】
杭の中心部に地球位置システムを装着したことを特徴とする杭。
【請求項２】
前記杭を日本国の領土である陸地に設置されている三角点を構成している基準点杭公共杭隣地境界杭観測杭としたことを特徴とする杭。
【請求項３】
請求項１または請求項２記載された杭から発信された情報を受信する受信部を備え、前記杭の位置を表示することができる表示機。
【考案の詳細な説明】
【技術分野】
【０００１】  本考案は、杭の中心部に地球位置システムを装着することにより、杭の所在位置と水準点を特定し確認きる地球位置システム装着杭（以下、ＧＰＳ装着杭）に関するものである。
【背景技術】
【０００２】  既存の杭は、日本国の領土である陸地に設置されている三角点を構成している基準点杭公共杭隣地境界杭等でくまなく設置されている、設置目的はおもに土地所有者の敷地面積の求積地積測量図につかわれている。基準点杭は位置所在と高さの基準となる水準点である、管理等日本国土全域で現地にゆき測量し、ずれや隆起沈下を観測修正している。
【先行技術文献】
【考案の概要】
【考案が解決しようとする課題】
【０００３】  しかしながら、日本列島沿いにあるプレート群による地震や津波それに活断層による地震地盤の崩壊を事前に予測する技術は研究だんかいである。
【考案が解決するための手段】
【０００４】  そこで、本考案は、以上の課題を解決すべく、日本国の領土である陸地に設置されている三角点を構成している基準点杭と公共杭観測杭にＧＰＳ装着杭を装置することにより、常時日本列島の歪み地盤のづれや隆起沈下を観測できる。特に、２０１１年３月１１日の巨大地震の余波による監視地域の観測や周期的に発生が予測されている特定地域と原子力発電施設周辺に、本考案のＧＰＳ装着杭を提供することを目的とした。
【０００５】  本考案は、以上の課題を解決すべく、日本国の領土である陸地に設置されている基準点杭と公共杭を取り換えることなく、取り付けられることで費用も少なくできるので、設置が促進されるため観測地域の整備拡大の生情報を発信することを特徴とするＧＰＳ装着杭。
【考案の効果】
【０００６】  本考案に係るＧＰＳ装着杭を国土に設置することにより、日本列島の微細の歪みでも常時観測できる。ＧＰＳ装着杭が国土全土に基準点杭と公共杭観測杭が設置されると、これまでにない観側データーが集積される。観測データーの分析をおこない予測し、プレート群や活断層を特定する監視地域や危険地域等に指定する、指定地域は防災体制と避難準備を手順よく計画にもとずき整備対応をおこない、被害を少なくする。
【図面の簡単な説明】
【図１】  本考案に係るＧＰＳ装着杭（基準点杭と公共杭境界杭）の一例を示すＧＰＳ装着杭の断面図である。
【図２】  本考案に係るＧＰＳ装着杭（基準点杭と公共杭）の一例を示すＧＰＳ装着杭の平面図である。
【図３】  本考案に係るＧＰＳ装着杭（隣地境界杭）の一例を示すＧＰＳ装着杭の平面図である。
【図４】  本考案に係るＧＰＳ装着杭（基準点杭と公共杭境界杭）の一例を示すＧＰＳ装着杭の立面図である。
【考案を実施するための形態】
【０００７】  以下に、本考案に係るＧＰＳ装着杭の実施例を図１及び至図４に基づいて説明する。本考案に係るＧＰＳを装着した基準点杭公共杭境界杭の一例を示す図１及び至図４において１０は本考案に係るＧＰＳ装着杭の本体であり、１は中心部にＧＯＳ装置を装着、２はＧＰＳ装置を保護する防水材、３はＧＰＳ装置を保護する断熱材、４は既存杭に本体取付け装置と基準点や境界点の位置調整装置、５は既存杭や新設杭の下部外枠部材、６は本体上部外枠部材、７は本体上部で基準点境界点方位等を表示、８は太陽光発電装置、９は本体の外装で杭にＧＰＳ装着杭の表示と基準点杭公共杭境界杭観測杭等の表示、１０はＧＰＳ装着杭の本体である。
【０００８】  このＧＰＳ装着杭の１０は本考案の本体であり、例えば、本体上部外枠部材６のその中心部にＧＰＳ装置を装着した１とから構成されている。先ず、中心部の１は図略の上部外枠の中に装置されており、このまわり２は雨水と湿気から保護する防水材で覆っている、それに合わせ断熱材３は冬季での寒気や夏季での猛暑に１を保護している。なを４は上部本体を既存杭に取り付ける取り付け装置と位置調整装置である、その上部本体を支持する５は既存杭や新設杭の下部外枠部材である、それに外装９は設置した杭にＧＰＳ装着杭の表示と杭管理者の管理杭等を表示する。
【０００９】  本考案ＧＰＳ装着杭には、受信装置と発信装置を装着している。ＧＰＳ装着杭は、設置場所が険しい山岳から海岸沿い等厳しい自然環境等に、対応する性能を１２３４５６７８９１０は保有する。
【００１０】  なお、本考案ＧＰＳ装着杭１０を、日本国土全土に設置することにより、常時観測情報が集積される。そのために土地所有者である杭設置者杭管理者である、日本国政府都道府県市町村自冶体等は、巨大地震の余波による監視地域や危険地域それと周期的に地震発生が予測されている特定地域と原子力発電施設周辺に優先して設置する、以降早期に設置する。
【００１１】  さらに、本考案ＧＰＳ装着杭１０より、常時発信された情報を受信する一次受信窓口の杭管理者は観測情報を、二次日本国担当部署に迅速に伝達する、担当部著は観測情報の集積と分析により一次管理者に迅速に伝達する。二次担当部署は、観測体制と緊急連絡体制を組織化し防災体制を構築する。なを二次担当部署は、災害対策として、観測情報の集積を数ヶ所に設置し情報を共有する、どちらからでも緊急速報を発令できる。
【符号の説明】
【００１２】１  ＧＰＳ装着杭本体の中心部にＧＰＳ装置を装着する
２  ＧＰＳ装着杭本体中心部のＧＰＳ装置を保護する防水材
３  ＧＰＳ装着杭本体中心部のＧＰＳ装置を保護する断熱材
４  本体上部を既存杭や新設杭に取り付け装置と位置調整装置
５  既存杭や新設杭の下部外枠部材
６  本体の上部外枠部材
７  本体の上部に基準点や杭管理者の境界点等を表示する
８  太陽光発電装置
９  本体の外装にＧＰＳ装着杭と杭管理者の管理杭を表示する
１０  ＧＰＳ装着杭の本体である
【図１】
0003179245.tif 000003
【図２】
0003179245.tif 000004
【図３】
0003179245.tif 000005
【図４】
0003179245.tif 000006
【手続補正書】
【提出日】平成24年8月6日(2012.8.6)
【手続補正１】
【補正対象書類名】実用新案登録請求の範囲
【補正対象項目名】請求項２
【補正方法】変更
【補正の内容】
【請求項２】
請求項１記載の杭を日本国の領土である陸地に設置されている三角点を構成している基準点等の杭としたことを特徴とする杭。